【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
弁形成術用リングであって、前記弁形成術用リングは、循環系内に埋め込まれるとヒト血液弁のための最適周界を確立するように構成される形状を有する細長いコアを備え、前記コアが静置状態から伸展状態に伸展されることを可能にする少なくとも１つの弾性特徴を含み、前記コアは、前記静置状態に向かって付勢されている、弁形成術用リング。
【請求項２】
前記形状は、不完全な円形を備える、請求項１に記載の弁形成術用リング。
【請求項３】
前記形状は、完全な円形を備える、請求項１に記載の弁形成術用リング。
【請求項４】
前記形状は、健康な僧帽弁周界を模倣する不完全「Ｄ」形状を備える、請求項１に記載の弁形成術用リング。
【請求項５】
前記形状は、健康な僧帽弁周界を模倣する不完全「Ｄ」形状を備える、請求項１に記載の弁形成術用リング。
【請求項６】
前記少なくとも１つの弾性特徴は、前記細長いコアの少なくとも１つのテーパ状区分を備える、請求項１に記載の弁形成術用リング。
【請求項７】
前記少なくとも１つのテーパ状区分は、円形、正方形、長方形、コイル形状を含む群から選択された断面を備える、請求項６に記載の弁形成術用リング。
【請求項８】
前記少なくとも１つの弾性特徴は、前記細長いコアの少なくとも１つのアコーディオン状区分を備える、請求項１に記載の弁形成術用リング。
【請求項９】
前記アコーディオン状区分は、前記細長いコアの実質的に全体に沿って延在する、請求項８に記載の弁形成術用リング。
【請求項１０】
前記細長いコアを通って延在する内側ワイヤをさらに備える、請求項１に記載の弁形成術用リング。
【請求項１１】
前記内側ワイヤは、前記少なくとも１つの弾性特徴の場所において中断される、請求項１０に記載の弁形成術用リング。
【請求項１２】
前記内側ワイヤは、前記少なくとも１つの弾性特徴の場所に縮小直径の区域を有する、請求項１０に記載の弁形成術用リング。
【請求項１３】
設置された弁形成術用リングを有する心臓弁を置換するシステムであって、
心臓弁の周囲に設置される弁形成術用リングと、
前記弁形成術用リングが弾性的に伸展させられている間に、前記弁形成術用リング内に設置されるように構成された人工心臓弁と
を備えるシステム。
【請求項１４】
前記人工心臓弁は、前記弁形成術用リングへの取り付けによって前記弁形成術用リング内に設置されるように構成されている、請求項１３に記載のシステム。
【請求項１５】
罹患心臓弁を処置するシステムであって、
罹患心臓弁の弁尖を癒合させるために前記罹患心臓弁の周囲に埋め込み可能な弁形成術用リングであって、前記弁形成術用リングは、少なくとも１つの弾性特徴を含み、前記少なくとも１つの弾性特徴は、前記リングが静置状態から伸展状態に伸展されることを可能にし、前記リングは、前記静置状態に向かって付勢される、弁形成術用リングと、
前記心臓弁が罹患状態を再発する場合、前記リング内に設置されるように構成された人工弁と
を備えるシステム。
【請求項１６】
前記少なくとも１つの弾性特徴は、前記弁形成術用リングの細長いコアの少なくとも１つのテーパ状区分を備える、請求項１５に記載のシステム。
【請求項１７】
前記少なくとも１つのテーパ状区分は、円形、正方形、長方形、コイル形状を含む群から選択された断面を備える、請求項１６に記載のシステム。
【請求項１８】
前記少なくとも１つの弾性特徴は、前記弁形成術用リングの細長いコアの少なくとも１つのアコーディオン状区分を備える、請求項１５に記載のシステム。
【請求項１９】
前記アコーディオン状区分は、前記細長いコアの実質的に全体に沿って延在する、請求項１８に記載のシステム。
【請求項２０】
前記弁形成術用リングの細長いコアを通って延在する内側ワイヤをさらに備える、請求項１５に記載のシステム。
【手続補正２】
【補正対象書類名】明細書
【補正対象項目名】００１７
【補正方法】変更
【補正の内容】
【００１７】
当業者は、本発明の方法およびリング実施形態が、新規であり、かついくつかの理由から有利であることを理解するが、その理由のうちのいくつかは、ＶＩＲ手技のために設計されていること、可撓性、変形性、放射線不透過性等の最適性能特性を提供すること、および事前バルーン手技の排除を含む。さらに、本発明のリングの実施形態は、新規であるが、埋め込みを行う外科医にとって習得が容易となるよう使用の容易性を最適化するように設計された慣れ親しんだ外観を提供する。リング設計はまた、製造が比較的に容易である。
本発明は、例えば、以下を提供する。
（項目１）
弁形成術用リングであって、前記弁形成術用リングは、循環系内に埋め込まれるとヒト血液弁のための最適周界を確立するように構成される形状を有する細長いコアを備え、前記コアが静置状態から伸展状態に伸展されることを可能にする少なくとも１つの弾性特徴を含み、前記コアは、前記静置状態に向かって付勢されている、弁形成術用リング。
（項目２）
前記形状は、不完全な円形を備える、項目１に記載の弁形成術用リング。
（項目３）
前記形状は、完全な円形を備える、項目１に記載の弁形成術用リング。
（項目４）
前記形状は、健康な僧帽弁周界を模倣する不完全「Ｄ」形状を備える、項目１に記載の弁形成術用リング。
（項目５）
前記形状は、健康な僧帽弁周界を模倣する不完全「Ｄ」形状を備える、項目１に記載の弁形成術用リング。
（項目６）
前記少なくとも１つの弾性特徴は、前記細長いコアの少なくとも１つのテーパ状区分を備える、項目１に記載の弁形成術用リング。
（項目７）
前記少なくとも１つのテーパ状区分は、円形、正方形、長方形、コイル形状を含む群から選択された断面を備える、項目６に記載の弁形成術用リング。
（項目８）
前記少なくとも１つの弾性特徴は、前記細長いコアの少なくとも１つのアコーディオン状区分を備える、項目１に記載の弁形成術用リング。
（項目９）
前記アコーディオン状区分は、前記細長いコアの実質的に全体に沿って延在する、項目８に記載の弁形成術用リング。
（項目１０）
前記細長いコアを通って延在する内側ワイヤをさらに備える、項目１に記載の弁形成術用リング。
（項目１１）
前記内側ワイヤは、前記少なくとも１つの弾性特徴の場所において中断される、項目１０に記載の弁形成術用リング。
（項目１２）
前記内側ワイヤは、前記少なくとも１つの弾性特徴の場所に縮小直径の区域を有する、項目１０に記載の弁形成術用リング。
（項目１３）
設置された弁形成術用リングを有する心臓弁を置換する方法であって、前記リングを弾性的に伸展させながら、前記弁形成術用リング内に人工心臓弁を設置することを含む方法。
（項目１４）
前記弁形成術用リング内に人工心臓弁を設置することは、前記弁形成術用リングに前記人工心臓弁を取り付けることを含む、項目１３に記載の方法。
（項目１５）
罹患心臓弁を処置する方法であって、
弁形成術用リングを罹患心臓弁の周囲に埋め込むことにより、前記罹患心臓弁の弁尖を癒合させることであって、前記弁形成術用リングは、少なくとも１つの弾性特徴を含み、少なくとも１つの弾性特徴は、前記リングが静置状態から伸展状態に伸展されることを可能にし、前記リングは、前記静置状態に向かって付勢される、ことと、
長期間にわたって前記弁を周期的に監視することと、
前記天然弁が罹患状態を再発する場合、前記リング内に人工弁を設置することと
を含む、方法。
（項目１６）
前記少なくとも１つの弾性特徴は、前記細長いコアの少なくとも１つのテーパ状区分を備える、項目１５に記載の方法。
（項目１７）
前記少なくとも１つのテーパ状区分は、円形、正方形、長方形、コイル形状を含む群から選択された断面を備える、項目１６に記載の方法。
（項目１８）
前記少なくとも１つの弾性特徴は、前記細長いコアの少なくとも１つのアコーディオン状区分を備える、項目１５に記載の方法。
（項目１９）
前記アコーディオン状区分は、前記細長いコアの実質的に全体に沿って延在する、項目１８に記載の方法。
（項目２０）
前記細長いコアを通って延在する内側ワイヤをさらに備える、項目１５に記載の方法。